(57)【要約】  【課題】  部材を追加することなく、スイッチに大きな負荷がかかるのを防ぐとともに、ヒンジ部に付与する荷重、モーメントを効果的に分散させることができ、破損するのを抑制することができる面押しボタン及びこれを用いた電子機器を提供する。  【解決手段】  台座部１０の背面１１０には、スイッチ押圧部１２に対してスイッチ４側にスイッチ４の側周部４０と当接する当接板１２３と、当接板１２３と押圧板１２１とに連設し、面押し部１１の背面より突出する連設リブ１２４と、当接板１２３の連設リブ１２４の反対側と接続する補強リブ１２５とを備えている。【選択図】      図２
2007018982.tif 000002
【特許請求の範囲】
【請求項１】
複数の貫通孔が形成された前面パネルと、前記前面パネルの背面に取り付けられ、回動
することで基板に取り付けられたスイッチを押圧する複数個の面押しボタンとを有する電
子機器であって、
前記面押しボタンは、複数の台座部と、一部が前記前面パネルの貫通孔から露出し前記
台座部と一体に形成される複数の面押し部と、前記台座部と一体に形成される複数のスイ
ッチ押圧部と、前記複数の台座部を並べて支持するとともに連結する支持部と、前記複数
の台座部を回動するように前記支持部と連結する複数のヒンジ部と、前記台座部の回動を
規制する複数の規制部とを有しており、
前記面押し部は前記前面パネルの貫通孔を貫通する先端部と、前記ヒンジ部と連結し前
記先端部が取り付けられ前記前面パネルの背面と接触する台座部とを有しており、
前記支持部は前記前面パネルと接触し、前記ヒンジを介して前記台座部を並べて支持す
るものであり、支持枠部と、前記支持枠部と連結されるとともに、前記面押しボタンが倒
れるのを防止する倒れ防止部と、前記前面パネルの背面に形成されるボスと嵌合し、該ボ
スを溶着することで固定されるボス孔とを有しており、
前記スイッチ押圧部は前記台座部の背面より突出し前記スイッチを押す押圧板と、前記
押圧板と連設し前記台座部の背面より突出する支持リブと、前記スイッチ押圧部が前記ス
イッチを押下したときに、該スイッチの側周部と当接する当接板と、前記当接板と前記押
圧板とに連設し、前記台座部の背面より突出する連設リブと、前記当接板の前記連設リブ
の反対側と接続する補強リブとを備えることを特徴とする電子機器。
【請求項２】
複数の貫通孔が形成された前面パネルと、前記前面パネルの背面に取り付けられ、回動
することで基板に取り付けられたスイッチを押圧する面押しボタンとを有する電子機器で
あって、
前記面押しボタンは、前記面押しボタンは、台座部と、一部が前記前面パネルの貫通孔
から露出し前記台座部と一体に形成される面押し部と、前記台座部と一体に形成されるス
イッチ押圧部と、前記台座部を並べて支持するとともに連結する支持部と、前記台座部を
回動するように前記支持部と連結するヒンジ部と、前記台座部の回動を規制する規制部と
を有しており、
前記面押し部は前記前面パネルの貫通孔を貫通する先端部と、前記ヒンジ部と連結し前
記先端部が取り付けられ前記前面パネルの背面と接触する台座部とを有しており、
前記規制部は前記台座部の前記ヒンジ部と連結するのと反対側と当接する形状を有して
おり、
前記支持部は前記前面パネルと接触し、前記ヒンジを介して前記台座部を並べて支持す
るものであり、支持枠部と、前記支持枠部と連設し、前記スイッチが倒れるのを防止する
ための倒れ防止部と、前記前面パネルの背面に形成されるボスと嵌合し、該ボスを溶着す
ることで固定されるボス孔とを有しており、
前記スイッチ押圧部は前記台座部の背面より突出し前記スイッチを押す押圧板と、前記
押圧板と連設し前記台座部の背面より突出する支持リブと、前記スイッチ押圧部が前記ス
イッチを押下したときに、該スイッチの側周部と当接する当接板と、前記当接板と前記押
圧板とに連設し、前記台座部の背面より突出する連設リブと、前記当接板の前記連設リブ
の反対側と接続する補強リブとを備えることを特徴とする電子機器。
【請求項３】
前記台座部の前記ヒンジ部と接続するのと反対側に突出部が形成されており、前記規制
部は隣り合う前記倒れ防止部の先端に形成されたボス孔を連結した部分に形成されること
を特徴とする請求項１又は請求項２に記載の電子機器。
【請求項４】
前記規制部は前記倒れ防止部と一体に形成され、前記台座部の前記ヒンジ部と接続する
のと反対側と接触することを特徴とする請求項１又は請求項２に記載の電子機器。
【請求項５】
複数の貫通孔が形成された前面パネルの背面に取り付けられる面押しボタンであって、
一部が前記前面パネルの貫通孔から露出する面押し部と、前記面押し部と一体に形成さ
れるスイッチ押圧部と、前記面押し部を支持するとともに連結する支持部と、前記面押し
部を回動するように前記支持部と連結するヒンジ部と、前記面押し部の回動を規制する規
制部とを有し、
前記面押し部は前記前面パネルの貫通孔を貫通する先端部と、前記ヒンジ部と連結し前
記先端部が取り付けられ前記前面パネルの背面と接触する台座部とを有しており、
前記規制部は前記台座部の前記ヒンジ部と連結するのと反対側と当接する形状を有して
おり、
前記支持部は前記前面パネルと接触し、前記ヒンジを介して前記台座部を並べて支持す
るものであり、支持枠部と、前記支持枠部と連設し、前記スイッチが倒れるのを防止する
ための倒れ防止部と、前記前面パネルの背面に形成されるボスと嵌合し、該ボスを溶着す
ることで固定されるボス孔とを有しており、
前記スイッチ押圧部は前記台座部の背面より突出し前記スイッチを押す押圧板と、前記
押圧板と連設し前記台座部の背面より突出する支持リブと、前記スイッチ押圧部が前記ス
イッチを押下したときに、該スイッチの側周部と当接する当接板と、前記当接板と前記押
圧板とに連設し、前記台座部の背面より突出する連設リブと、前記当接板の前記連設リブ
の反対側と接続する補強リブとを備えることを特徴とする面押しボタン。
【請求項６】
前記面押し部を複数備えており、前記支持部は前記面押し部が並ぶように支持すること
を特徴とする請求項５に記載の面押しボタン。
【請求項７】
前記台座部の前記ヒンジ部と接続するのと反対側に突出部が形成されており、前記規制
部は隣り合う前記倒れ防止部の先端に形成されたボス孔を連結した部分に形成されること
を特徴とする請求項５又は請求項６に記載の電子機器。
【請求項８】
前記規制部は前記倒れ防止部と一体に形成され、前記台座部の前記ヒンジ部と接続する
のと反対側と接触することを特徴とする請求項５又は請求項６に記載の面押しボタン。
【発明の詳細な説明】
【技術分野】
【０００１】
本発明は、面押しボタン及びこれを備えた音響機器、映像機器等の電子機器に関するも
のである。
【背景技術】
【０００２】
音響機器、映像機器等の電子機器は、前面に前記電子機器の操作を行うための面押しボ
タンを多数備えているものが多い。前記電子機器では、例えば該電子機器がＤＶＤ（Digi
tal Versatile Disc）プレーヤの場合、電源入／切、再生、停止、ディスク排出等の操作
を行うことができる面押しボタンを有しており、各面押しボタンを押すことで該面押しボ
タンに関連付けられた操作を行うことができる。
【０００３】
図６に従来の電子機器の一例であるＤＶＤプレーヤの正面図を示す。図６に示すＤＶＤ
プレーヤＰＭは、ＤＶＤメディアの投入口Ｉｈと、電源ボタン９１ｐと、停止ボタン９１
ａと、再生（一時停止）ボタン９１ｂと、ＤＶＤメディアを排出するためのメディア排出
ボタン９１ｃと、これらこれら各ボタンが配置される前面パネル９２とを備えている。
【０００４】
図７（Ａ）に図６に示す電子機器の押しボタン部の断面図を、図７（Ｂ）に図６に示す
電子機器の取付部の断面図を示す。図７（Ａ）、図７（Ｂ）に示すように、面押しボタン
９１は面押し部９１１を前面パネル９２に形成された貫通孔９２１を貫通するように配置
されている。面押しボタン９１は４個の面押し部９１１と、各面押し部９１１と一体に形
成されるスイッチ押圧部９１２と、面押し部９１１及びスイッチ押圧部９１２とを支持す
る支持部９１３とを有している。
【０００５】
支持部９１３は前面パネル９２の後述するボス９２２が貫通するボス孔９１４と、面押
し部９１１と連結し片持ち支持するヒンジ部９１５とを備えている。図７に示すように、
支持部９１３はヒンジ部９１５を介して４個の面押し部９１１が並んで配置されるように
支持している。両端部と隣り合う面押しボタン９１１の間には支持部９１３と一体で形成
され、面押しボタン９１が傾くのを防ぐための傾き防止部９１６が形成されている。傾き
防止部９１６の先端にもボス孔９１４が形成されている。
【０００６】
このとき、支持部９１３に形成されたボス孔９１４のボス９２２が貫通している。ボス
孔９１４を貫通したボス９２２の先端を加熱し溶融させてボス孔９１４に付着するように
固化させることで溶着されている。
【０００７】
面押しボタン９１のスイッチ押圧部９１２の側方には基板９３が配置されており、スイ
ッチ押圧部９１２の側方に、スイッチ９４が配置されている。スイッチ９４は基板９３上
に実装されており、スイッチ９４とスイッチ押圧部９１２との間はわずかな隙間が形成さ
れている。
【０００８】
面押しボタン９１は面押し部９１１を押すことで支持部９１３のヒンジ部９１５がたわ
み、スイッチ押圧部９１２の端部が沈む。スイッチ押圧部９１２の端部の沈み方向にはス
イッチ９４が配置されており、スイッチ押圧部９１２が下方に沈むことでスイッチ９４が
スイッチ押圧部９１２に押される。
【０００９】
面押しボタン９１を強い力で押すと、スイッチ押圧部９１２よりスイッチ９４に大きな
負荷がかかりスイッチ９４が壊れることがある。スイッチ９４へ過度の力がかかるのを防
ぐために、図７（Ａ）に示すように前面パネル９２は面押し部９１１のヒンジ部９１３と
反対側の端部が奥に入りすぎるのを防ぐフック部９２３が貫通孔９２１に隣接して形成さ
れている。フック部９２３は前面パネル９２と一体的に形成されている。フック部９２３
と面押し部９１１が係合することで面押し部９１１及びスイッチ押圧部９１２の回動を制
限している。
【００１０】
面押しボタン９１の面押し部９１１を押すと、面押し部９１１及びスイッチ押圧部９１
２はヒンジ部９１３を中心に一定量回動した後、面押し部９１１の端部がフック部９２３
と接触し回動が停止する。これにより、スイッチ９４に大きな負荷がかかるのを防いでい
る。
【００１１】
特開２００５−５０７５０号公報に記載の発明は、前面パネルに押釦の保護を目的とす
るリブを設け、押釦本体に前面パネルのリブに係合するリブを備えており、押釦に設けら
れた回転中心となる薄肉ヒンジに過剰な力がかかるのを抑制するものを示している。
【特許文献１】特開２００５−５０７５０号公報
【発明の開示】
【発明が解決しようとする課題】
【００１２】
しかしながら、面押し部９１１が面押しボタン９１の回動方向に長い場合、面押し部９
１１がフック部９２３と当接した状態でさらに面押し部９１１を押圧すると、フック部９
２３を支点に回動するモーメントが働く。フック部９２３を支点とするモーメントが働く
とヒンジ部９１３に大きな力が付与し、ヒンジ部９１３が塑性変形し、面押し部９１１が
前面パネル９２の外面部より凹み、使用感が悪化し、見た目も悪くなる。さらに荷重が付
加されるとヒンジ部９１３の塑性変形がすすみ、やがて破損する不具合が発生する。
【００１３】
特開２００５−５０７５０号公報に記載の発明では、押圧部が押釦が回動方向に長くな
く、前面パネルに形成されているリブと押釦本体に形成さているリブが当接した後、さら
に、押釦の押圧部に力が加わっても大きなモーメントが発生しにくく、押圧部が長くなる
ことで発生するモーメントによるヒンジ部への応力の集中を抑制することができない。
【００１４】
そこで本発明は、部材を追加することなく、スイッチに大きな負荷がかかるのを防ぎ、
破損するのを抑制することができる面押しボタン及び面押しボタンを用いた電子機器を提
供することを目的とする。
【課題を解決するための手段】
【００１５】
上記目的を達成するために本発明は、複数の貫通孔が形成された前面パネルと、前記前
面パネルの背面に取り付けられ、回動することで基板に取り付けられたスイッチを押圧す
る複数個の面押しボタンとを有する電子機器であって、前記面押しボタンは、複数の台座
部と、一部が前記前面パネルの貫通孔から露出し前記台座部と一体に形成される複数の面
押し部と、前記台座部と一体に形成される複数のスイッチ押圧部と、前記複数の台座部を
並べて支持するとともに連結する支持部と、前記複数の台座部を回動するように前記支持
部と連結する複数のヒンジ部と、前記台座部の回動を規制する複数の規制部とを有してお
り、前記支持部は前記前面パネルと接触し、前記ヒンジを介して前記台座部を並べて支持
するものであり、支持枠部と、前記支持枠部と連結されるとともに、前記面押しボタンが
倒れるのを防止する倒れ防止部と、前記前面パネルの背面に形成されるボスと嵌合し、該
ボスを溶着することで固定されるボス孔とを有しており、前記スイッチ押圧部は前記台座
部の背面より突出し前記スイッチを押す押圧板と、前記押圧板と連設し前記台座部の背面
より突出する支持リブと、前記スイッチ押圧部が前記スイッチを押下したときに、該スイ
ッチの側周部と当接する当接板と、前記当接板と前記押圧板とに連設し、前記台座部の背
面より突出する連設リブと、前記当接板の前記連設リブの反対側と接続する補強リブとを
備えることを特徴とする。
【００１６】
この構成によると、前記面押し部を押すことで、スイッチ押圧部の押圧板がスイッチを
押下するときに、規制部で前記台座部の回動角度が一定以上進まないように規制し、前記
台座部に連接された当接板がスイッチの側周部とが当接する。これにより、前記台座部が
規制部に当接した後にさらに力を加えても前記台座部と前記規制部との接触部を中心にし
たモーメントを当接板が受けることで前記台座部と前記規制部との接触部を中心にしたモ
ーメントによるヒンジ部の変形を抑制することができ、ヒンジ部の破損等の不具合を抑制
することができる。
【００１７】
このことにより、長期間にわたり前記面押しボタンを安定して使用することができ、部
品交換等のメンテナンスに必要な時間、手間を削減することができる。これにより、電子
機器のランニングコストを低減することが可能である。
【００１８】
上記目的を達成するために本発明は、複数の貫通孔が形成された前面パネルと、前記前
面パネルの背面に取り付けられ、回動することで基板に取り付けられたスイッチを押圧す
る面押しボタンとを有する電子機器であって、前記面押しボタンは、台座部と、一部が前
記前面パネルの貫通孔から露出し前記台座部と一体に形成される面押し部と、前記台座部
と一体に形成されるスイッチ押圧部と、前記台座部を並べて支持するとともに連結する支
持部と、前記台座部を回動するように前記支持部と連結する複数のヒンジ部と、前記台座
部の回動を規制する規制部とを有しており、前記面押し部は前記前面パネルの貫通孔を貫
通する先端部と、前記ヒンジ部と連結し前記先端部が取り付けられ前記前面パネルの背面
と接触する台座部とを有しており、前記規制部は前記台座部の前記ヒンジ部と連結するの
と反対側と当接する形状を有しており、前記支持部は前記前面パネルと接触し、前記ヒン
ジを介して前記台座部を並べて支持するものであり、支持枠部と、前記支持枠部と連設し
、前記スイッチが倒れるのを防止するための倒れ防止部と、前記前面パネルの背面に形成
されるボスと嵌合し、該ボスを溶着することで固定されるボス孔とを有しており、前記ス
イッチ押圧部は前記台座部の背面より突出し前記スイッチを押す押圧板と、前記押圧板と
連設し前記台座部の背面より突出する支持リブと、前記スイッチ押圧部が前記スイッチを
押下したときに、該スイッチの側周部と当接する当接板と、前記当接板と前記押圧板とに
連設し、前記台座部の背面より突出する連設リブと、前記当接板の前記連設リブの反対側
と接続する補強リブとを備えることを特徴とする。
【００１９】
この構成によると、前記面押し部を押すことで、スイッチ押圧部の押圧板がスイッチを
押下するときに、規制部で前記台座部の回動角度が一定以上進まないように規制し、前記
台座部に連接された当接板がスイッチの側周部とが当接する。これにより、前記台座部が
規制部に当接した後にさらに力を加えても前記台座部と前記規制部との接触部を中心にし
たモーメントを当接板が受けることで前記台座部と前記規制部との接触部を中心にしたモ
ーメントによるヒンジ部の変形を抑制することができ、ヒンジ部の破損等の不具合を抑制
することができる。
【００２０】
このことにより、長期間にわたり前記面押しボタンを安定して使用することができ、部
品交換等のメンテナンスに必要な時間、手間を削減することができる。これにより、電子
機器のランニングコストを低減することが可能である。
【００２１】
前記構成において前記台座部は、前記ヒンジ部と接続するのと反対側に突出部が形成さ
れており、前記規制部は隣り合う前記倒れ防止部の先端に形成されたボス孔を連結した部
分に形成されていてもよい。
【００２２】
また前記構成において前記規制部は、前記倒れ防止部と一体に形成され、前記台座部の
前記ヒンジ部と接続するのと反対側と接触するものとしてもよい。
【００２３】
上記目的を達成するため本発明は、複数の貫通孔が形成された前面パネルの背面に取り
付けられる面押しボタンであって、一部が前記前面パネルの貫通孔から露出する面押し部
と、前記面押し部と一体に形成されるスイッチ押圧部と、前記面押し部を支持するととも
に連結する支持部と、前記面押し部を回動するように前記支持部と連結するヒンジ部と、
前記面押し部の回動を規制する規制部とを有し、前記面押し部は前記前面パネルの貫通孔
を貫通する先端部と、前記ヒンジ部と連結し前記先端部が取り付けられ前記前面パネルの
背面と接触する台座部とを有しており、前記規制部は前記台座部の前記ヒンジ部と連結す
るのと反対側と当接する形状を有しており、前記支持部は前記前面パネルと接触し、前記
ヒンジを介して前記台座部を並べて支持するものであり、支持枠部と、前記支持枠部と連
設し、前記スイッチが倒れるのを防止するための倒れ防止部と、前記前面パネルの背面に
形成されるボスと嵌合し、該ボスを溶着することで固定されるボス孔とを有しており、前
記スイッチ押圧部は前記台座部の背面より突出し前記スイッチを押す押圧板と、前記押圧
板と連設し前記台座部の背面より突出する支持リブと、前記スイッチ押圧部が前記スイッ
チを押下したときに、該スイッチの側周部と当接する当接板と、前記当接板と前記押圧板
とに連設し、前記台座部の背面より突出する連設リブと、前記当接板の前記連設リブの反
対側と接続する補強リブとを備えることを特徴とする。
【００２４】
この構成によると、前記面押し部を押すことで、スイッチ押圧部の押圧板がスイッチを
押下するときに、規制部で前記台座部の回動角度が一定以上進まないように規制し、前記
台座部に連接された当接板がスイッチの側周部とが当接する。これにより、前記台座部が
規制部に当接した後にさらに力を加えても前記台座部と前記規制部との接触部を中心にし
たモーメントを当接板が受けることで前記台座部と前記規制部との接触部を中心にしたモ
ーメントによるヒンジ部の変形を抑制することができ、ヒンジ部の破損等の不具合を抑制
することができる。
【００２５】
このことにより、長期間にわたり前記面押しボタンを安定して使用することができ、部
品交換等のメンテナンスに必要な時間、手間を削減することができる。これにより、電子
機器のランニングコストを低減することが可能である。
【００２６】
前記構成の面押しボタンにおいて、前記面押し部を複数備えており、前記支持部は前記
面押し部が並ぶように支持するものであってもよい。
【００２７】
また前記構成において前記台座部は、前記ヒンジ部と接続するのと反対側に突出部が形
成されており、前記規制部は隣り合う前記倒れ防止部の先端に形成されたボス孔を連結し
た部分に形成されるものであってもよい。
【００２８】
さらに前記構成において前記規制部は、前記倒れ防止部と一体に形成され、前記台座部
の前記ヒンジ部と接続するのと反対側と接触するものであってもよい。
【発明の効果】
【００２９】
本発明によると、部材を追加することなく、スイッチに大きな負荷がかかるのを防ぐと
ともに、ヒンジ部に付与する荷重、モーメントを効果的に分散させることができ、破損す
るのを抑制することができる面押しボタン及びこれを用いた電子機器を提供することがで
きる。
【００３０】
又本発明によると、ヒンジ部に付与する荷重、モーメントを効果的に分散させることが
でき、長期間にわたり破損しにくく、それだけ、メンテナンスの回数を減らすことで、時
間、手間を省くことができ、それだけメンテナンスコストを低減することができる面押し
ボタン及びこれを用いた電子機器を提供することができる。
【発明を実施するための最良の形態】
【００３１】
以下に本発明の実施形態を図面を参照して説明する。図１に本発明にかかる電子機器の
一例の正面図を示す。図１に示す電子機器はそれには限定されないが、ここではＤＶＤプ
レーヤである。図１に示すＤＶＤプレーヤは、ＤＶＤメディアの投入口Ｉｈと、電源ボタ
ン１（１ｐ）と、停止ボタン１（１ａ）と、再生（一時停止）ボタン１（１ｂ）と、ＤＶ
Ｄメディアを排出するためのメディア排出ボタン１（１ｃ）と、前面パネル２とを備えて
いる。
【００３２】
電源ボタン１ｐ、停止ボタン１ａ、再生ボタン１ｂ及びメディア排出ボタン１ｃは、各
ボタンを押すことでボタンに関連付けられている動作を行うものである。前面パネル２は
貫通孔２１が形成されており、貫通孔２１を各ボタン１（１ｐ、１ａ、１ｂ、１ｃ）が貫
通している。
【００３３】
図２に本発明にかかる面押しボタンの正面図を、図３に図２に示す面押しボタンの側面
図を示す。面押しボタン１は電源ボタン１ｐ、停止ボタン１ａ、再生ボタン１ｂ及びメデ
ィア排出ボタン１ｃを有している。各ボタンはそれぞれ同じ構成を有しており、台座部１
０と、前面パネル２の貫通孔２１を貫通し台座部１０と一体に形成される面押し部１１と
、台座部１０と一体的に連結するスイッチ押圧部１２とを備えている。面押し部１１とス
イッチ押圧部１２とは台座部１０を挟んで対向して配置されている。それには限定されな
いが、ここでは、面押しボタン１は樹脂の一体成形にて製造されるものである。
【００３４】
面押しボタン１は支持部１３を備えており、支持部１３と面押し部１１がヒンジ部１４
を介して連結している。図２に示すように、台座部１０は面押しボタン１１が貫通孔２１
より出すぎるのを防ぎヒンジ部１４と連結するものである。
【００３５】
支持部１３は隣り合う面押し部１１及びスイッチ押圧部１２を一定方向に並んで支持す
る支持枠部１３１と、前面パネル２の背面２０に形成された後述のボス２２に外嵌するボ
ス孔１３３と、面押しボタン１が傾くのを防止するための倒れ防止部１３４とを備えてい
る。
【００３６】
ボス孔１３３はそれには限定されないが、支持枠部１３１と倒れ防止部１３４の連結部
及び倒れ防止部１３４の先端に形成されている。支持枠部１３１のボス孔１３３は両端部
と各ヒンジ部１４の間に形成されている。
【００３７】
倒れ防止部１３４は上述のとおり面押しボタン１が倒れるのを防止するものであり、両
端部と電源ボタン１ｐと停止ボタン１ａの間、停止ボタン１ａと再生ボタン１ｂの間、再
生ボタン１ｂとメディア排出ボタン１ｃの間にそれぞれ形成されている。また、これに限
定されるものではなく、面押しボタンが倒れるのを防ぐことができるように配置するもの
を広く採用することができる。また、図２に示すようにヒンジ部１４の中央部には貫通孔
１４０が形成されている。
【００３８】
図４（Ａ）に面押しボタンを備えた電子機器の図２に示すＸ−Ｘ線で切断したときの断
面図を、図４（Ｂ）に図２に示すＹ−Ｙ線で切断したときの断面図を示す。図４（Ａ）に
示すように台座部１０は前面パネル２の背面２０と接触して配置されている。台座部１０
が前面パネル２の背面２０と接触することで面押し部１１が前面パネル２より飛び出し過
ぎないように制限している。
【００３９】
図４（Ａ）、図４（Ｂ）に示すように面押し部１１の台座部１１２の背面１１０にはス
イッチ押圧部１２が連結している。スイッチ押圧部１２はＤＶＤプレーヤの内部に延びる
形状を有しており、台座部１０と連結し、スイッチ４を押圧する押圧板１２１と、スイッ
チ押圧板１２１の中央に一体的に取り付けられ、台座部１０と連結する支持リブ１２２と
を有している。また、スイッチ押圧部１２の側方には基板３上に実装されたスイッチ４が
配置されている。スイッチ４とスイッチ押圧部１２との間はわずかな隙間が形成されてい
る。
【００４０】
台座部１０の背面１１０には、スイッチ押圧部１２に対してスイッチ４側にスイッチ４
の側周部４０と当接する当接板１２３と、当接板１２３と押圧板１２１とに連設し、面押
し部１１の背面より突出する連設リブ１２４と、当接板１２３の連設リブ１２４の反対側
と接続する補強リブ１２５とを備えている。
【００４１】
ヒンジ部１４は図４（Ｂ）に示すように面押しボタン１の他の部分に比べて厚みが薄く
形成されている。また、上述したようにヒンジ部１４の中央部には貫通孔１４０が形成さ
れており。ヒンジ自体の厚み及び貫通孔１４０の大きさを調整することでヒンジ部１４の
剛性（たわみやすさ）を調節している。
【００４２】
図４（Ｂ）に示すように前面パネル２は背面２０に支持部１３のボス孔１３３を貫通す
るボス２２が形成されている。ボス２２は支持部１３のボス孔１３３を貫通するとともに
ボス孔１３３より突出した部分を溶融し、ボス孔１３３と溶着される。ボス２２とボス孔
１３３とが溶着することで押しボタン１を前面パネル２の背面に固定することが可能であ
る。また、前面パネル２の背面２０には台座部１０のヒンジ部１４と連結するの反対側端
部を押さえ、面押し部１１（すなわち台座部１０）の回動を規制する規制部２３が備えら
れている。
【００４３】
前面パネル２の外側から面押しボタン１の面押し部１１を押すことでヒンジ部１４がた
わみ、ヒンジ部１４を中心に台座部１０及びスイッチ押圧部１２が回動する。台座部１０
及びスイッチ押圧部１２が回動することで、スイッチ押圧部１２のスイッチ押圧板１２１
がスイッチ４を押す。スイッチ押圧板１２１がスイッチ４を押し、さらに、台座部１０の
回動角度が一定になったときに台座部１０の背面１１０が規制部２３と当接し、台座部１
０が回動しすぎるのを規制する。このとき、台座部１０の背面１１０に形成されている当
接板１２３がスイッチ４の側周部４０と当接し、力を当接板１２３で受けるのでヒンジ部
１４に応力が集中するのを抑えることができる。
【００４４】
面押しボタン１の台座部１０の回動角度が一定になったときに、台座部１０が規制部２
３に接触するので、スイッチ押圧部１２のスイッチ押圧板１２１がスイッチ４を押すとき
に、スイッチ４に大きな力が付与するのを防ぐことができるため、スイッチ４の故障、破
損等の不具合の発生を抑制する。また、面押し部１１の回動角度が一定角度で停止するの
で、ヒンジ部１４のたわみ量が大きくなりすぎるのを防ぐことができ、それだけ、ヒンジ
部１４の疲労破壊が発生するのを抑制することが可能である。
【００４５】
また、台座部１０の背面１１０が規制部２３に当接した状態でさらに力が付与すると、
台座部１０と規制部２３との当接点を中心としたモーメントが発生する。このとき、他の
部材よりも薄肉に形成されているヒンジ部１４に応力が集中するが、台座部１０の背面１
１０に形成されている当接板１２３がスイッチ４の側周部４０と当接し、力を当接板１２
３で受けるのでヒンジ部１４に応力が集中するのを抑えることができ、それだけヒンジ部
１４の披露破壊が発生するのを抑制することができる。
【００４６】
図５に本発明にかかる面押しボタンの他の例の断面図を示す。図５に示すように、台座
部１０のヒンジ部１４が連設されているのとは反対側の端部に突出部１１３が形成され、
倒れ防止部１３４の先端に形成されているボス孔１３３を接続して規制部１３５を構成す
るものにおいても当接板１２３、連設リブ１２４及び補強リブ１２５を備えることで、規
制部１３５回りに発生するモーメントによるヒンジ部の破損を抑制する効果を得ることが
可能である。
【００４７】
このことにより、面押しボタン１を前面パネル２の背面２０に簡単容易に取り付けるこ
とができ、それだけ、製造の手間と時間を削減することができる。また、面押しボタン１
を組付けるときに障害となるものがないので、位置決めのために着脱を繰り返すときの、
面押しボタン１及び前面パネル２の各部に無理な力が付与し疲労することで起こる変形や
破壊が発生するのを抑制することができる。
【００４８】
また、本発明にかかる面押しボタン１として電源投入ボタン１ｐ、停止ボタン１ａ、再
生ボタン１ｂ、メディア排出ボタン１ｃを例に４個連結されている面押しボタンを例に説
明しているがそれに限定されるものではなく、４個よりも少なくても多くても良い。
【００４９】
上記実施例において、電子機器としてＤＶＤメディアの再生を行うＤＶＤプレーヤを採
用しているが、それに限定されるものではなく、面押しボタンを用いて操作を行う電子機
器（例えば、ＶＴＲ、ＣＤ、ＴＶ受像機等）を広く採用することができる。
【産業上の利用可能性】
【００５０】
本発明の面押しボタンは、ＶＴＲ、ＤＶＤ、ＣＤ、ＬＤ等の面押しボタンを用いて操作
を行うことができる電子機器において適用することができる。
【図面の簡単な説明】
【００５１】
【図１】本発明にかかる電子機器の一例の正面図である。
【図２】本発明にかかる面押しボタンの正面図である。
【図３】図２に示す面押しボタンの背面図である。
【図４】図（Ａ）は図２に示す面押しボタンをＸ−Ｘ線で切断したときの断面図であり、図（Ｂ）は図２に示す面押しボタンをＹ−Ｙ線で切断したときの断面図である。
【図５】本発明にかかる面押しボタンの他の例の断面図である。
【図６】従来の電子機器の一例の正面図である。
【図７】図（Ａ）は図６に示す電子機器の面押しボタン部の断面図であり、図（Ｂ）に図６に示す電子機器の取付部の断面図である。
【符号の説明】
【００５２】
１  面押しボタン
１０  台座部
１１０  背面
１１  面押し部
１１３  突出部
１２  スイッチ押圧部
１２１  スイッチ押圧板
１２２  支持リブ
１２３  当接板
１２４  連設リブ
１２５  補強リブ
１３  支持部
１３１  支持枠部
１３３  ボス孔
１３４  倒れ防止部
１３５  規制部
２  前面パネル
２０  背面
２１  貫通孔
２２  ボス
２３  規制部
【図１】
2007018982.tif 000003
【図２】
2007018982.tif 000004
【図３】
2007018982.tif 000005
【図４】
2007018982.tif 000006
【図５】
2007018982.tif 000007
【図６】
2007018982.tif 000008
【図７】
2007018982.tif 000009